(57)【要約】      （修正有）【課題】ユーザやオペレータの意思に従ってネットワークベースの移動管理機構を優先的に利用できる移動通信管理システムを提供する。【解決手段】ネットワーク（ＮＷ）ベース移動管理機構のアンカーノードに、端末ベースの位置登録要求信号の検出する端末ベースＢＵ検出部及びＮＷベース移動管理機構を優先的に使用する指示をホームエージェント（ＨＡ）に送信するＮＷベース優先処理部を備え、ＨＡに、アンカーノードからのＮＷベースの移動管理機構の優先的な使用の指示信号に従って、端末ベースの位置登録要求信号をＮＧとする処理を行うＮＷベース優先部を備えることで、ユーザやオペレータの意思に従った最適な移動管理機構を提供する。同時に、移動端末宛のパケット及び移動端末からのパケットは、ＨＡとアンカーノード間でのカプセル化処理により、グローバルモビリティ機能を保持したまま、最適なＮＷベース移動管理機構を利用できる技術を提供する。【選択図】  図１
2008227632.tif 000002
【特許請求の範囲】
【請求項１】
移動通信システムであって、
移動端末と、
前記移動端末宛のパケットを該移動端末に転送するように管理しているホームエージェントと、
前記移動端末宛のパケットを該移動端末が接続しているエッジノードに転送するように管理しているアンカーノードと
を有し、
予め設定されている優先情報に応じて、前記ホームエージェントが前記移動端末宛のパケットを該移動端末に転送するように管理する、若しくは前記アンカーノードが前記移動端末宛のパケットを該移動端末が接続しているエッジノードに転送するように管理することを特徴とする移動通信システム。
【請求項２】
前記アンカーノードは、
前記移動端末が前記ホームエージェントでの管理を要求するために前記ホームエージェント宛に送信した位置登録要求信号を検出する検出部と、
前記優先情報に前記アンカーノードでの管理を優先することが設定されている場合、前記検出された位置登録要求信号に、アンカーノードでの管理を優先する旨の優先要求情報を付加して送信する優先処理部と
を有し、
前記ホームエージェントは、
前記優先要求情報が付加された前記位置登録要求信号を受信すると、ホームエージェントでの管理を行わないことを示す応答信号を前記移動端末に送信する優先処理部と
を有することを特徴とする請求項１に記載の移動通信システム。
【請求項３】
前記エッジノードは、
前記移動端末が前記ホームエージェントでの管理を要求するために前記ホームエージェント宛に送信した位置登録要求信号を検出する検出部と、
前記優先情報に前記アンカーノードでの管理を優先することが設定されている場合、前記検出された位置登録要求信号に、アンカーノードでの管理を優先する旨の優先要求情報を付加して送信する優先処理部と
を有し、
前記ホームエージェントは、
前記優先要求情報が付加された前記位置登録要求信号を受信すると、ホームエージェントでの管理を行わないことを示す応答信号を前記移動端末に送信する優先処理部
を有することを特徴とする請求項１に記載の移動通信システム。
【請求項４】
前記ホームエージェントは、前記移動端末のホームアドレス宛のパケットをカプセル化して前記アンカーノードに転送するカプセル化処理部を有することを特徴とする請求項２又は請求項３に記載の移動通信システム。
【請求項５】
前記優先情報が、前記アンカーノードでの管理を優先することが設定されている場合、
前記移動端末は、位置登録要求信号に前記アンカーノードでの管理を優先する旨の優先要求情報を付加して送信する優先処理部
を有し、
前記ホームエージェントは、
前記優先要求情報が付加された前記位置登録要求信号を受信すると、ホームエージェントでの管理を行わないことを示す応答信号を前記移動端末に送信する優先処理部
を有することを特徴とする請求項１に記載の移動通信システム。
【請求項６】
アンカーノードであって、
移動端末がホームエージェントでの管理を要求するために前記ホームエージェント宛に送信した位置登録要求信号を検出する検出部と、
優先情報にアンカーノードでの管理を優先することが設定されている場合、前記検出された位置登録要求信号に、アンカーノードでの管理を優先する旨の優先要求情報を付加して前記ホームエージェントに送信し、アンカーノードが前記移動端末宛のパケットを該移動端末が接続しているエッジノードに転送するように設定する優先処理部と
を有することを特徴とするアンカーノード。
【請求項７】
エッジノードであって、
移動端末がホームエージェントでの管理を要求するために前記ホームエージェント宛に送信した位置登録要求信号を検出する検出部と、
優先情報にアンカーノードでの管理を優先することが設定されている場合、前記検出された位置登録要求信号に、アンカーノードでの管理を優先する旨の優先要求情報を付加して前記ホームエージェントに送信し、アンカーノードが前記移動端末宛のパケットを自装置宛に転送するように設定する優先処理部と
を有することを特徴とするエッジノード。
【請求項８】
ホームエージェントであって、
アンカーノードが移動端末宛のパケットを該移動端末が接続しているエッジノードに転送するように管理することを優先する旨の優先要求情報と、ホームエージェントが移動端末宛のパケットを該移動端末に転送するように管理することを要求するために前記移動端末が前記ホームエージェント宛に送信した位置登録要求信号を受信すると、ホームエージェントでの管理を行わないことを示す応答信号を前記移動端末に送信する優先処理部と、
前記優先処理部が前記応答信号を前記移動端末に送信後、前記移動端末のホームアドレス宛のパケットをカプセル化して前記アンカーノードに転送するカプセル化処理部と
を有することを特徴とするホームエージェント。
【請求項９】
移動端末と、前記移動端末宛のパケットを該移動端末に転送するように管理しているホームエージェントと、前記移動端末宛のパケットを該移動端末が接続しているエッジノードに転送するように管理しているアンカーノードとを有する移動通信システムの移動通信管理方法であって、
予め設定されている優先情報が、前記ホームエージェントが前記移動端末宛のパケットを該移動端末に転送するように設定されている場合に、前記移動端末宛のパケットを該移動端末に転送するホームエージェント転送ステップと、
前記優先情報が、前記アンカーノードが前記移動端末宛のパケットを該移動端末が接続しているエッジノードに転送するように設定されている場合に、前記移動端末宛のパケットを該移動端末が接続しているエッジノードに転送するアンカーノード転送ステップと
を有することを特徴とする移動通信管理方法。
【請求項１０】
前記移動端末が前記ホームエージェントでの管理を要求するために前記ホームエージェント宛に送信した位置登録要求信号を検出する検出ステップと、
前記優先情報に前記アンカーノードでの管理を優先することが設定されている場合、前記検出された位置登録要求信号に、アンカーノードでの管理を優先する旨の優先要求情報を付加して送信する優先要求情報送信ステップと、
前記優先要求情報が付加された前記位置登録要求信号を受信すると、ホームエージェントでの管理を行わないことを示す応答信号を前記移動端末に送信する応答信号送信ステップと
を有することを特徴とする請求項９に記載の移動通信管理方法。
【請求項１１】
前記応答信号送信後、前記移動端末のホームアドレス宛のパケットをカプセル化して前記アンカーノードに転送する転送ステップを有することを特徴とする請求項１０に記載の移動通信管理方法。
【請求項１２】
アンカーノードのプログラムであって、前記プログラムは前記アンカーノードを、
移動端末がホームエージェントでの管理を要求するために前記ホームエージェント宛に送信した位置登録要求信号を検出する検出部と、
優先情報にアンカーノードでの管理を優先することが設定されている場合、前記検出された位置登録要求信号に、アンカーノードでの管理を優先する旨の優先要求情報を付加して前記ホームエージェントに送信し、アンカーノードが前記移動端末宛のパケットを該移動端末が接続しているエッジノードに転送するように設定する優先処理部と
して機能させることを特徴とするプログラム。
【請求項１３】
エッジノードのプログラムであって、前記プログラムは前記エッジノードを、
移動端末がホームエージェントでの管理を要求するために前記ホームエージェント宛に送信した位置登録要求信号を検出する検出部と、
優先情報にアンカーノードでの管理を優先することが設定されている場合、前記検出された位置登録要求信号に、アンカーノードでの管理を優先する旨の優先要求情報を付加して前記ホームエージェントに送信し、アンカーノードが前記移動端末宛のパケットを自装置宛に転送するように設定する優先処理部と
して機能させることを特徴とするプログラム。
【請求項１４】
ホームエージェントのプログラムであって、前記プログラムは前記ホームエージェントを、
アンカーノードが移動端末宛のパケットを該移動端末が接続しているエッジノードに転送するように管理することを優先する旨の優先要求情報と、ホームエージェントが移動端末宛のパケットを該移動端末に転送するように管理することを要求するために前記移動端末が前記ホームエージェント宛に送信した位置登録要求信号を受信すると、ホームエージェントでの管理を行わないことを示す応答信号を前記移動端末に送信する優先処理部と、
前記優先処理部が前記応答信号を前記移動端末に送信後、前記移動端末のホームアドレス宛のパケットをカプセル化して前記アンカーノードに転送するカプセル化処理部と
して機能させることを特徴とするプログラム。
【発明の詳細な説明】
【技術分野】
【０００１】
本発明は、移動通信管理技術に関し、特に端末ベースの移動管理機構とネットワークベースの移動管理機構との両機構を柔軟にサポートする移動通信管理技術に関する。
【背景技術】
【０００２】
近年、次世代ネットワークとしてＡＬＬ−ＩＰネットワーク（以下ＡＩＰＮ）が注目されている。ＡＩＰＮでは、多種多様なアクセスネットワークを収容しているため、各ネットワーク間をシームレスに通信するモビリティ機能の提供が重要となっている。
【０００３】
モビリティ機能を提供する手段として、ネットワークノードに移動管理機能を搭載するネットワークベースのモビリティ機構と、移動端末に移動管理機能を搭載する端末ベースのモビリティ機構とがある。ネットワークベースのモビリティ機構としては、ＮＥＴＬＭＭ（Ｎｅｔｗｏｒｋ−ｂａｓｅｄ  Ｌｏｃａｌ  Ｍｏｂｉｌｉｔｙ  Ｍａｎａｇｅｍｅｎｔ）やＰ−ＭＩＰ（Ｐｒｏｘｙ  Ｍｏｂｉｌｅ  ＩＰ）が代表例として挙げられる。また、端末ベースのモビリティ機構としては、Ｃ−ＭＩＰ（Ｃｌｉｅｎｔ  Ｍｏｂｉｌｅ  ＩＰ）が代表例として挙げられる。
【０００４】
柔軟な移動通信管理システムを構成させる場合、ネットワーク側及び端末側にて、前述の端末ベースのモビリティ機構とネットワークベースのモビリティ機構との両方をサポートすることが必要である。
【０００５】
以下に、ネットワーク側に、端末ベースのモビリティ機構とネットワークベースのモビリティ機構との両方をサポートした従来の技術について説明する（例えば、非特許文献１）。
【０００６】
図３は、従来の移動通信管理システムの構成図、図４は従来の移動通信管理システムの動作シーケンスである。
【０００７】
端末ベースの移動管理機構では、移動端末１がネットワーク５に接続すると、ホームエージェント３に対して位置登録要求信号を送信する。ホームエージェント３は移動端末１からの位置登録要求信号を受信すると、移動端末１のアクセスネットワーク上のＩＰアドレスとホームアドレス等のバインディング情報を形成及び管理し、移動端末１に対して位置登録応答信号を返信する。移動端末１は、位置登録応答信号を受信すると、前述の位置登録処理が成功裏に終了したことを理解する。
【０００８】
これ以降、ホームエージェント３と移動端末１との間では、移動端末１のホームアドレス宛のパケットを移動端末１のアクセスネットワーク上のＩＰアドレス宛のパケットにカプセル化して転送するためのユーザデータトンネルが形成され、移動端末１宛のユーザデータの送受信処理が移動管理されることとなる。尚、逆方向のパケットも同様に逆のデカプセル化処理を行う。
【０００９】
上述した端末ベースの移動管理機構では、無線区間においてはユーザデータがカプセル化されるため、それに伴うデータオーバーヘッドが発生し、非効率なパケット配送方式である、また、ネットワークの接続ポイントを変更するたびに必ず位置登録処理を行う必要がある。
【００１０】
一方、ネットワークベースの移動管理機構では、移動端末１がネットワーク５に接続すると、ネットワークエッジノード２が移動端末１の接続を検知し、モビリティアンカーノード４に対して、位置登録要求信号を送信する。モビリティアンカーノード４は、位置登録要求信号を受信すると、移動端末１のＩＰアドレスとエッジノード２のＩＰアドレス等のバインディング情報を形成及び管理し、エッジノード２に対して位置登録応答信号を返信する。
【００１１】
これ以降、モビリティアンカーノード４とエッジノード２との間では、移動端末１のアドレス宛のパケットを該当のエッジノード２へ配送するためのユーザデータトンネルが形成され、移動端末１宛のユーザデータの送受信処理が移動管理されることとなる。移動端末１は、ネットワーク５側の位置登録処理を特に意識せずに、移動管理されることになる一方、ネットワーク５側の位置登録処理が行われない場合には、通常のＩＰ通信を行う端末として動作する。尚、逆方向のパケットも同様に、エッジノードにてカプセル化される。
【００１２】
移動端末１とエッジノード２との間ではユーザデータカプセル化は不要であり、無線区間においてはカプセル化に伴うデータオーバーヘッドが発生しない。また、ネットワークベースの移動管理機構のドメイン内での端末の移動に関しては、無線区間上の位置登録信号は発生せず、無線伝送路を効率的に利用でき、高速なハンドオーバーが可能であるという特長を保有する。
【００１３】
汎用的な移動管理システムを実現するためには、前述の端末ベースの移動管理機構とネットワークベースの移動管理機構との両方をサポートする必要がある。両移動管理機構をサポートした環境の場合、ネットワーク５側では、端末１がネットワーク５へ接続してきた際に、端末１から端末ベースの位置登録要求信号が送信されると、その端末１が端末ベースの移動管理機構を利用する。また、端末１からアドレス解決要求（ＤＨＣＰなど）信号が送信されてきた場合には、その端末１が端末ベースの移動管理機構を利用する能力を保有すると判断する。
【００１４】
一方、端末側では、ネットワーク側がどちらをサポートしていても対応できるように、まずは端末ベースの位置登録要求信号を送信する。その位置登録応答があった場合は端末ベースの移動管理機構を利用し、応答が無かった場合はネットワークベースの移動管理機構を利用する。
【非特許文献１】ＷｉＭＡＸ  Ｆｏｒｕｍ、“ＷｉＭＡＸ  Ｅｎｄ−ｔｏ−Ｅｎｄ  Ｎｅｔｗｏｒｋ  Ｓｙｓｔｅｍｓ  Ａｒｃｈｉｔｅｃｔｕｒｅ“，７．８．１．１３  Ｃｏｅｘｉｓｔｅｎｃｅ  ｆｏｒ  Ｎｅｔｗｏｒｋｓ  Ｓｕｐｐｏｒｔｉｎｇ  Ｂｏｔｈ  ＣＭＩＰ  ａｎｄ  ＰＭＩＰ
【発明の開示】
【発明が解決しようとする課題】
【００１５】
しかしながら、前述のシステム構成では、端末側ではネットワークベースの移動管理機構の処理可否を検知することができないことを理由として、移動端末は端末ベースの移動管理機構の利用可否結果に基づいて、使用する移動管理機構を判断する。
【００１６】
従って、端末及びネットワークが両方の移動管理機構を利用できる環境にあった場合においても、ユーザやネットワークオペレータの意思とは無関係に、端末ベースの移動管理機構を優先的に使用することとなり、ネットワークベースの移動管理機構を優先的に利用することができないという問題がある。
【００１７】
そこで、本発明は、端末及びネットワークの両方が端末ベース及びネットワークベースの移動管理機構をサポートしている場合に、端末ベースのグローバルモビリティ機能を継続利用しつつ、ネットワークベースの移動管理機構を優先的に利用することもできる、柔軟な構成が可能な移動通信管理システムを提供することを目的とする。
【課題を解決するための手段】
【００１８】
上記課題を解決するための本発明は、移動通信システムであって、移動端末と、前記移動端末宛のパケットを該移動端末に転送するように管理しているホームエージェントと、前記移動端末宛のパケットを該移動端末が接続しているエッジノードに転送するように管理しているアンカーノードとを有し、予め設定されている優先情報に応じて、前記ホームエージェントが前記移動端末宛のパケットを該移動端末に転送するように管理する、若しくは前記アンカーノードが前記移動端末宛のパケットを該移動端末が接続しているエッジノードに転送するように管理することを特徴とする。
【００１９】
上記課題を解決するための本発明は、アンカーノードであって、移動端末がホームエージェントでの管理を要求するために前記ホームエージェント宛に送信した位置登録要求信号を検出する検出部と、優先情報にアンカーノードでの管理を優先することが設定されている場合、前記検出された位置登録要求信号に、アンカーノードでの管理を優先する旨の優先要求情報を付加して前記ホームエージェントに送信し、アンカーノードが前記移動端末宛のパケットを該移動端末が接続しているエッジノードに転送するように設定する優先処理部とを有することを特徴とする。
【００２０】
上記課題を解決するための本発明は、エッジノードであって、移動端末がホームエージェントでの管理を要求するために前記ホームエージェント宛に送信した位置登録要求信号を検出する検出部と、優先情報にアンカーノードでの管理を優先することが設定されている場合、前記検出された位置登録要求信号に、アンカーノードでの管理を優先する旨の優先要求情報を付加して前記ホームエージェントに送信し、アンカーノードが前記移動端末宛のパケットを自装置宛に転送するように設定する優先処理部とを有することを特徴とする。
【００２１】
上記課題を解決するための本発明は、ホームエージェントであって、アンカーノードが移動端末宛のパケットを該移動端末が接続しているエッジノードに転送するように管理することを優先する旨の優先要求情報と、ホームエージェントが移動端末宛のパケットを該移動端末に転送するように管理することを要求するために前記移動端末が前記ホームエージェント宛に送信した位置登録要求信号を受信すると、ホームエージェントでの管理を行わないことを示す応答信号を前記移動端末に送信する優先処理部と、前記優先処理部が前記応答信号を前記移動端末に送信後、前記移動端末のホームアドレス宛のパケットをカプセル化して前記アンカーノードに転送するカプセル化処理部とを有することを特徴とする。
【００２２】
上記課題を解決するための本発明は、移動端末と、前記移動端末宛のパケットを該移動端末に転送するように管理しているホームエージェントと、前記移動端末宛のパケットを該移動端末が接続しているエッジノードに転送するように管理しているアンカーノードとを有する移動通信システムの移動通信管理方法であって、予め設定されている優先情報が、前記ホームエージェントが前記移動端末宛のパケットを該移動端末に転送するように設定されている場合に、前記移動端末宛のパケットを該移動端末に転送するホームエージェント転送ステップと、前記優先情報が、前記アンカーノードが前記移動端末宛のパケットを該移動端末が接続しているエッジノードに転送するように設定されている場合に、前記移動端末宛のパケットを該移動端末が接続しているエッジノードに転送するアンカーノード転送ステップとを有することを特徴とする。
【００２３】
上記課題を解決するための本発明は、アンカーノードのプログラムであって、前記プログラムは前記アンカーノードを、移動端末がホームエージェントでの管理を要求するために前記ホームエージェント宛に送信した位置登録要求信号を検出する検出部と、優先情報にアンカーノードでの管理を優先することが設定されている場合、前記検出された位置登録要求信号に、アンカーノードでの管理を優先する旨の優先要求情報を付加して前記ホームエージェントに送信し、アンカーノードが前記移動端末宛のパケットを該移動端末が接続しているエッジノードに転送するように設定する優先処理部として機能させることを特徴とする。
【００２４】
上記課題を解決するための本発明は、エッジノードのプログラムであって、前記プログラムは前記エッジノードを、移動端末がホームエージェントでの管理を要求するために前記ホームエージェント宛に送信した位置登録要求信号を検出する検出部と、優先情報にアンカーノードでの管理を優先することが設定されている場合、前記検出された位置登録要求信号に、アンカーノードでの管理を優先する旨の優先要求情報を付加して前記ホームエージェントに送信し、アンカーノードが前記移動端末宛のパケットを自装置宛に転送するように設定する優先処理部として機能させることを特徴とする。
【００２５】
上記課題を解決するための本発明は、ホームエージェントのプログラムであって、前記プログラムは前記ホームエージェントを、アンカーノードが移動端末宛のパケットを該移動端末が接続しているエッジノードに転送するように管理することを優先する旨の優先要求情報と、ホームエージェントが移動端末宛のパケットを該移動端末に転送するように管理することを要求するために前記移動端末が前記ホームエージェント宛に送信した位置登録要求信号を受信すると、ホームエージェントでの管理を行わないことを示す応答信号を前記移動端末に送信する優先処理部と、前記優先処理部が前記応答信号を前記移動端末に送信後、前記移動端末のホームアドレス宛のパケットをカプセル化して前記アンカーノードに転送するカプセル化処理部として機能させることを特徴とする。
【００２６】
本発明によるアンカーノードは、移動端末のＮＷベースの移動管理用のバインディング情報の管理を行うＮＷベース移動管理部に加えて、移動端末からの端末ベースの移動管理機構における位置登録要求信号を検知する端末ベースＢＵ検出部、ＮＷベースと端末ベースと両移動管理機構をサポートしている場合にＮＷベースの移動管理機構を優先することをホームエージェントに通知するＮＷベース優先処理部、及び、ＮＷベース移動管理機構を優先した場合でも端末ベース移動管理機構のグローバルモビリティ機能を継続サポートするためのホームエージェントとアンカーノード間のトンネル生成処理を司るカプセル化処理部とを備える。
【００２７】
本発明によるホームエージェントは、移動端末の端末ベースの移動管理用のバインディング情報の管理を行う端末ベース移動管理部に加えて、アンカーノードからのＮＷベースの移動管理機構を優先利用する要求信号を受信して、端末ベースの位置登録要求信号をＮＧにて返信するＮＷベース優先処理部、及び、ＮＷベース移動管理機構を優先した場合でも端末ベース移動管理機構のグローバルモビリティ機能を継続サポートするためのホームエージェントとアンカーノード間のトンネル生成処理を司るカプセル化処理部とを備える。
【００２８】
本発明によるエッジノードは、ネットワークベースの移動管理機構のエッジ機能を保有するアクセスルータであり、移動端末が端末ベースの移動管理機構を利用する場合には、単純にパケット転送を行うアクセスルータとして動作する。
【００２９】
本発明による移動端末は、IPプロトコルによる通信ができ、移動可能な端末である。また、モバイルIPクライアント機能及びホームエージェントへの位置登録送受信機能を保有し、また、ネットワークベース移動管理機構ドメイン内にて移動管理機能を利用することも可能であり、端末ベースとネットワークベースの移動管理機構を利用可能なデュアルスタック端末である。
【発明の効果】
【００３０】
本発明によれば、ユーザやネットワークオペレータの意思に従って、ネットワークベースの移動管理機構あるいは端末ベースの移動管理機構を利用できる。より柔軟な移動通信管理システムの設計が可能となる。
【００３１】
また、本発明によれば、ネットワークベースの移動管理機構を優先的に使用できる。従って、端末及びネットワークノードの処理負荷軽減、システムリソースの効率的利用へとつながる。
【００３２】
さらに、本発明によれば、適材適所に端末ベースとネットワークベースの移動管理機構を使い分けることができ、効率的及び高速なハンドオーバー処理システムを実現することができる。
【発明を実施するための最良の形態】
【００３３】
本発明は、移動端末宛のパケットをその移動端末に転送するように管理しているホームエージェントと、移動端末宛のパケットをその移動端末が接続しているエッジノードに転送するように管理しているアンカーノードとを有する移動通信システムにおいて、ホームエージェントが移動端末宛のパケットを該移動端末に転送するように管理する、若しくは前記アンカーノードが前記移動端末宛のパケットを該移動端末が接続しているエッジノードに転送するように管理することを任意に選択できることを特徴とする。
【００３４】
本発明の特徴を説明するために、以下において、図面を参照して具体的に述べる。
【００３５】
本発明を実施するための第１の実施の形態について図面を参照して詳細に説明する。
【００３６】
図１は、本発明における移動通信管理システム構成の第一の実施例を示すブロック図である。
【００３７】
図１に示すように、移動端末通信管理システムは、移動端末１、エッジノード２、ホームエージェント３、アンカーノード４、ゲートウェイ６から形成されるコアネットワーク５を有する。
【００３８】
移動端末１は、コアネットワーク５内のゲートウェイ６を経由して、インターネット８に存在する通信相手７と通信を行う。
【００３９】
ホームエージェント３は、端末ベース移動管理部３−１、ＮＷベース優先処理部３−２、及びカプセル化処理部３−３を有する。
【００４０】
端末ベース移動管理部３−１は、端末ベースの移動管理機能を処理する位置登録要求信号を受信し、移動端末のバインディング情報を管理し、位置登録応答信号を返信する処理を行う。
【００４１】
ＮＷベース優先処理部３−２は、アンカーノード４からのＮＷベース移動管理優先要求信号に従って、位置登録信号（ＮＧ）を返信する処理を司る。
【００４２】
カプセル化処理部３−３は、ＮＷベース移動管理機構が優先使用された場合に、端末ベースの移動管理機構をオフにしても端末ベースの移動管理機構の持つグローバルモビリティ機能を継続的に有効とするため、ホームエージェント３とアンカーノード４との間でのカプセル化処理を行う。
【００４３】
アンカーノード４は、ＮＷベース移動管理部４−１、ＮＷベース優先処理部４−２、端末ベースＢＵ（Ｂｉｎｄｉｎｇ  Ｕｐｄａｔｅ）検出部４−３、及びカプセル化処理部４−４を有する。
【００４４】
ＮＷベース移動管理部４−１は、エッジノード２からの位置登録要求信号を受信し、移動端末のバインディング情報を管理し、エッジノードへ位置登録応答信号を返信する処理を行う。
【００４５】
端末ベースＢＵ検出部４−３は、移動端末（ホームアドレス）毎に、ＮＷベース移動管理機構を優先的に使用するか否かの設定がなされている優先情報を有する。そして、端末ベースＢＵ検出部４−３は、端末ベースの位置登録要求信号を検出して、端末ベース位置登録要求信号に含まれるホームアドレスと優先情報に基づいて、その端末がＮＷベース移動管理機構を優先的に使用するか否かの設定がなされているかを調べる。その端末がＮＷベース移動管理機構を優先的に使用するように設定されている場合、ＮＷベース優先処理部４−２に対して端末ベース位置登録要求信号の到着を伝達する。
【００４６】
ＮＷベース優先処理部４−２は、端末ベースの位置登録要求信号を検出した際に、ＮＷベースの移動管理機構を優先する場合は、その位置登録要求信号にＮＷベース移動管理機構を優先的に使用する指示であるＮＷベース移動管理優先要求信号を付加する処理を行う。
【００４７】
カプセル化処理部４−４は、ＮＷベース移動管理機構を有効とした場合に、端末ベース移動管理機構のグローバルモビリティ機能を継続的に有効とするため、ホームエージェント３とアンカーノード４の間でのカプセル化処理を行う。
【００４８】
続いて、動作シーケンス図を用いて、本発明の移動通信管理システムの処理動作を説明する。
【００４９】
移動端末１がネットワークに接続すると、エッジノード２との間にて、移動端末１がそのネットワークで使用するＩＰアドレスの解決を（ＤＨＣＰ：Ｄｙｎａｍｉｃ  Ｈｏｓｔ  Ｃｏｎｆｉｇｕｒａｔｉｏｎ  Ｐｒｏｔｏｃｏｌなどを利用して）行う。
【００５０】
エッジノード２ではそのアドレス解決処理が発生したことにより、移動端末１がそのネットワークへ接続してきたことを検出し、アンカーノード４へその移動端末１のＮＷベース位置登録要求信号を送信する。アンカーノード４は、その移動端末１のＢｉｎｄｉｎｇ情報を登録し、エッジノード２に対してＮＷベース位置登録応答信号を返信する。その結果、エッジノード２とアンカーノード４間に移動端末１のユーザデータ転送用のトンネルが形成される。
【００５１】
移動端末１は、上記のネットワーク側の処理については関知せず、端末ベースの移動通信機構処理を開始し、ホームエージェント３宛に、自身のホームアドレスの情報を含む端末ベース位置登録要求信号を送信する。その信号は、エッジノード２、アンカーノード４を経由してホームエージェント３へ到着するが、アンカーノード３では、端末ベースＢＵ検出部４−３は端末ベース位置登録要求信号を検出すると、端末ベース位置登録要求信号含まれるホームアドレスに基づいて、その端末がＮＷベース移動管理機構を優先的に使用するか否かの設定がなされているかを調べる。その端末がＮＷベース移動管理機構を優先的に使用するように設定されている場合、ＮＷベース優先処理部４−２に対して端末ベース位置登録要求信号の到着を伝達する。ＮＷベース優先処理部４−２では、その端末ベース位置登録要求信号にＮＷベース移動管理優先要求信号を付加してホームエージェント３へ転送する。ＮＷベース移動管理優先要求信号では、アンカーノード４のＩＰアドレスも通知している。
【００５２】
ここで、ＮＷベース移動管理機構を優先的に使用するか否かは、以下の設定によって決める。尚、優先情報は、端末ベースＢＵ検出部が保持している。
１．オペレータが固定で設定する。
この場合、オペレータが移動端末（ホームアドレス）毎に、どちらのモビリティ機構を優先するかのBinding情報を設定する。
２．オペレータがコアネットワーク内の全ユーザの使用状況や関連ノードの動作負荷状況やリソース消費状況に応じて選択設定する。
この場合、オペレータがユーザの使用状況(例えば、それぞれの機構の使用状況)や各ノード(例えば、アンカーノード、ホームエージェント)の負荷状況など全体的なシステムの使用状況に応じて、各端末がアクセスしてきた際に、適宜最適な機構の方を割り当てるようにする
３．ユーザとオペレータ間で事前に交渉して設定する、
ユーザが使用開始の前(例えば、位置登録要求信号を送信する前)に、どちらを優先するかを交渉する信号をやり取りして設定する。
４．ユーザが位置登録要求信号を送信する毎にその信号に情報を付加することで指定するといった手段にて設定する。
【００５３】
この場合、ユーザは移動端末を用いては定期的に位置登録要求信号を送信する。その時に優先する機構を切り替えたい場合には、その位置登録要求信号にてコアネットワーク側へ指示を行い、設定する。
【００５４】
ホームエージェント３は、端末ベース位置登録要求信号及びＮＷベース移動管理優先要求信号を受信すると、ＮＷベース優先処理部３−２は、端末ベース移動管理部３−１に対して、ＮＷベース移動管理機構を優先し、端末ベース移動管理機構を非優先とする指示信号を送信する。端末ベース移動管理部では、移動端末１に対して、端末ベース位置登録応答信号をＮＧとして返信する。また、ＮＷベース優先処理部３−２は、カプセル化処理部３−３に対して、移動端末１のホームアドレス宛のパケットをアンカーノード４宛のパケットとしてカプセル化するカプセル化管理情報の登録を指示すると同時に、アンカーノード４に対してＮＷ移動管理優先応答信号を返信する。ＮＷ移動管理優先応答信号では、ホームエージェント３のＩＰアドレスも通知している。
【００５５】
アンカーノード４は、ＮＷ移動管理優先応答信号を受信すると、ＮＷベース優先処理部４−２が、カプセル化処理部４−４に対して、移動端末１から送信されたパケットをホームエージェント３宛のパケットとしてカプセル化するカプセル化管理情報の登録を指示する。ここで、ホームエージェント３とアンカーノード４間の移動端末１宛パケット用のトンネルが確立され、以降の移動端末１に関する通信データは、ホームエージェント３とアンカーノード４間はカプセル化され通信される。
【００５６】
移動端末１は、ＮＧの端末ベース位置登録応答信号を受信すると、端末ベースの移動管理機構をＯＦＦし、ＮＷベースの移動管理機構を利用した通信環境を実現する。但し、ホームエージェント３とアンカーノード４間にてカプセルかした通信を行うことにより、端末ベース移動管理機構をＯＦＦした状態ではあるが、端末ベースのグローバルモビリティ機能を利用した通信が可能となっている。
【００５７】
本発明の第２の実施形態としては、第１の実施形態でアンカーノード４に配備していたＮＷベース優先処理部４−２、端末ベースＢＵ検出部４−３、カプセル化処理部４−４をエッジノード２に配備する形態も可能である。
【００５８】
本発明の第３の実施形態としては、移動端末１がＩＰアドレス解決の際に、エッジルータ２からコアネットワーク５がネットワークベースの移動管理機構をサポートしている情報を入手し、移動端末１はホームエージェント３に対してＮＷベース移動管理優先要求信号の送信とともにＮＷベース移動管理機構を優先することを通知し、また移動端末１はアンカーノード４あるいはエッジノード２に対してＮＷベース移動管理優先のためのカプセル化処理の実施を要求する信号を送信し、ホームエージェント３とアンカーノード４あるいはホームエージェント３とエッジノード２間でカプセル化処理を行い、グローバルモビリティ機能を継続利用できるようにする形態も可能である。
【００５９】
尚、上述した本発明のシステムの各構成部は、上記説明からも明らかなように、ハードウェアで構成することも可能であるが、コンピュータプログラムにより実現することも可能である。
【００６０】
プログラムメモリに格納されているプログラムで動作するプロセッサによって、上述した実施の形態と同様の機能、動作を実現させる。尚、上述した実施の形態の一部の機能のみをコンピュータプログラムにより実現することも可能である。
【図面の簡単な説明】
【００６１】
【図１】本発明における第一の実施例の移動通信管理システム構成を示すブロック図である。
【図２】本発明における第一の実施例の移動通信管理システムにおける端末登録処理シーケンスである。
【図３】従来の移動通信管理システム構成の一例を示すブロック図である。
【図４】従来の移動通信管理システムにおける端末登録処理シーケンスの一例である。
【符号の説明】
【００６２】
１  移動端末
２：エッジノード
３：ホームエージェント
３−１：端末ベース移動管理部
３−２：ＮＷベース優先処理部
３−３：カプセル化処理部
４：アンカーノード
４−１：ＮＷベース移動管理部
４−２：ＮＷベース優先処理部
４−３：端末ベースＢＵ検出部
４−４：カプセル化処理部
５：コアネットワーク
６：ゲートウェイ
７：通信相手
８：インターネット
【図１】
2008227632.tif 000003
【図２】
2008227632.tif 000004
【図３】
2008227632.tif 000005
【図４】
2008227632.tif 000006